Podtech/llm-jp-corpus-v4-ja_patent huggingface dataset:
(57)【要約】【課題】  左右の臀部に挟まれた体毛を剃るのに最適な構造、Ｖ字型、平板型、Ｌ字型になったカミソリを提供する。【解決手段】  左右の臀部に挟まれた溝にカミソリが入り込む構造、Ｖ字型、平板型、鏡付き、薄型でアタッチメント方式、薄型でＬ字型のカミソリと体毛を剃った状況を確認する鏡付きのカミソリを提供するものである。【選択図】  図１
2006081872.tif 000002
【特許請求の範囲】
【請求項１】
左右臀部の体毛にあたる角度に折り曲げたＶ字型のベースの左右下部に刃取り付け用の開口部を設け、上方向に動かした時に剃れる角度で開口部に刃を取り付けたアンダーヘアーカッター。
【請求項２】
薄いベースに、上方向に動かした時に剃れる角度で刃を取り付けたアンダーヘアーカッター。
【請求項３】
ベース接触面側に鏡を取り付けたことを特徴とする請求項１又は２記載のアンダーヘアーカッター。
【請求項４】
替刃が着脱機構を介して設けられたものであることを特徴とする請求項１、２又は３記載のアアンダーヘアーカッター。
【請求項５】
刃が取り付けられた刃取付部の一端から操作柄をＬ字状となるように設け、前記刃は、上方向に動かした時に剃れる角度となるように設けられたものであることを特徴とするアンダーヘアーカッター。
【発明の詳細な説明】
【技術分野】
【０００１】  本発明はアンダーヘアーを剃る器具に関するものである
【背景技術】
【０００２】  従来、顔や手足を剃るカミソリとして取手から角度を付ける形で連接部がでていて、その先端に刃を有するカミソリ台座が設けられている。
【発明の開示】
【発明が解決しようとする課題】
【０００３】  取手から角度を付ける形で連接部がついているので、お尻に挟まれた部分に刃が入りにくく、その部分から生えている毛が剃りずらかった。
【課題を解決するための手段】
【０００４】  お尻に挟まれた部分に刃が入り易くした形状の、ベースに操作方向に動かした時に毛を剃れる角度で刃を取り付けたカミソリである。
【発明の効果】
【０００５】  アンダーヘアーを簡単に剃ることができる。鏡を付加したものは、体毛の剃れ具合を確認できる。着脱機構のものは、刃の部分のみ交換が出来る。
【発明を実施するための最良の形態】
【０００６】  以下、本発明の実施の形態について説明する。
Ｖ字型の形状に関するものである。図１のように左右臀部の体毛にあたる角度に折り曲げたＶ字型になったベースに剃れた物のつまり防止のため及び刃を取付けるための開口部があり、そこに刃がついている。刃は、上方向に動かした時に剃れる角度でベースに取付いている。ベースには鏡が付加されている。
これを使う時は、図３、図４のように、左右の臀部に挟まれた部分に入り込ませながら手前に引くことによりその部分に生えた毛を剃る。体毛の剃れ具合を鏡にて確認する。【０００７】  以下、平板状の事例について説明する。
図５のように、平板のベースに剃れた物のつまり防止のため及び刃を取付けるための開口部があり、そこに刃が取り付いている。
これを使う時は、図７、図８のように、お尻に挟まれた部分に入り込ませながら手前に引くことで片側の毛を剃る。逆側は、本カミソリを左右逆にして剃る。【０００８】    図９に示すのは、刃がアタッチメント方式で刃と取手全体が薄型になっているものである。挟持アームが左右に可動し取替刃を挟み押さえにより安定させる構造になっている。
この際、図１０に示すように、取手は一直線上になっておりアタッチメントの替刃と上方延長線上に延長線上に、されている。刃の位置は若干前方に出した形状となっている。【０００９】  図１１のように、刃が取り付けられた刃取付部の一端から操作柄をＬ字状となるように設け、前記刃は、上方向に動かした時に剃れる角度となるように設けてある。
これを使う時は、図１３のように、左右の臀部に挟まれた部分に入り込ませて片側を剃る。
【図面の簡単な説明】
【００１０】
【図１】本発明の斜視図
【図２】本発明の断面図
【図３】本発明の使用図
【図４】本発明の横から見た使用図
【図５】本発明の他の事例の斜視図
【図６】本発明の他の事例の断面図
【図７】本発明の他の事例の使用図
【図８】本発明の他の事例の使用図
【図９】本発明の他の事例の正面図
【図１０】本発明の他の事例の断面図
【図１１】本発明の他の事例の正面図
【図１２】本発明の他の事例の断面図
【図１３】本発明の他の事例の使用図
【符号の説明】
【００１１】  １  ベース
２  鏡
３  刃
４  ガイドワイヤ
５  開口部
６  取替え刃
７  挟持アーム
８  押さえ
９  取手
【図１】
2006081872.tif 000003
【図２】
2006081872.tif 000004
【図３】
2006081872.tif 000005
【図４】
2006081872.tif 000006
【図５】
2006081872.tif 000007
【図６】
2006081872.tif 000008
【図７】
2006081872.tif 000009
【図８】
2006081872.tif 000010
【図９】
2006081872.tif 000011
【図１０】
2006081872.tif 000012
【図１１】
2006081872.tif 000013
【図１２】
2006081872.tif 000014
【図１３】
2006081872.tif 000015
(57)【要約】      （修正有）【課題】掛ぶとんをカバーに入れる方法を楽にすること。【解決手段】掛ぶとんカバーの前面に広い開口部１を設ける。開口部の大きさは任意である。掛ぶとんの飛び出しを防ぐため布２などで開口部を覆い覆った布はファスナー８，９，１０などで止める。【選択図】図１
2006081877.tif 000002
【特許請求の範囲】
【請求項１】
掛ぶとんを楽に広い開口部から入れる事が出来る事を特徴とする掛ぶとんカバー。
【請求項２】
前記カバーは開口部を布で覆う事で、ふとんの飛び出しを防げる事を特徴とする。
【請求項３】
前記カバーは図１  ▲１▼開口部の上部・下部・右側・左側に幅をもたせる事によりふとんを安定させる事を特徴とする。
【発明の詳細な説明】
【技術分野】
【０００１】  この発明は、掛ぶとんをカバーに入れる方法を楽にする事に関することである。
【背景技術】
【０００２】  従来のカバーは図２の▲１▼の狭い幅のファスナーから入れる為特に重く大きなふとんなどの場合大変な労力が必要であった。狭い所から入れる為無理に入れるとカバーが破れたりという事もあった。
【発明の開示】
【発明が解決しようとする課題】
【０００３】  しかしながら、この方法では広い開口部より入れる事により作業がスムーズになり重く大きなふとんでも楽にカバーを装着する事が出来る事を課題とする。
【課題を解決するための手段】
【０００４】  以上の課題を解決するために図１の▲１▼の開口部より、掛ぶとんを入れる事を特徴とする。また、図１の開口部を▲２▼の布で覆う事でふとんの飛び出しを防ぐ事が出来る。
また、図１の▲３▼・▲４▼・▲５▼・▲６▼に幅を持たせる事で掛ぶとんを安定させる事が出来る。
【発明の効果】
【０００５】  以上説明したように、この発明によれば、広い開口部より掛ぶとんを入れる事が出来る為、作業を軽減出来る。また、破く事もなくなる。
【発明を実施するための最良の形態】
【０００６】この発明の一実施形態を図１に示す。カバーは布製である。
【図面の簡単な説明】
【０００７】
【図１】この発明の前面からの斜視図である。
【図２】従来の掛ぶとんカバーの斜視図である。
【０００８】図１に示す、▲３▼・▲４▼・▲５▼・▲６▼の幅は任意である。【０００９】図１に示す、▲２▼は▲７▼の部分でカバー本体と縫い合わせる。【００１０】図１に示す、▲８▼・▲９▼・▲１０▼はファスナーなどを使って▲２▼とあわせる。
【符号の説明】
【００１１】▲１▼開口部  ▲２▼開口部を覆う布  ▲３▼カバー本体上部から開口部上部までの幅  ▲４▼カバー本体下部から開口部下部の幅  ▲５▼カバー本体右側から開口部右側の幅  ▲６▼カバー本体左側から開口部左側の幅  ▲７▼開口部の上部の幅  ▲８▼開口部の右側の幅  ▲９▼開口部の下部の幅  ▲１０▼開口部の左側の幅
【図１】
2006081877.tif 000003
【図２】
2006081877.tif 000004
(57)【要約】【課題】濾布吊りアームを濾板に溶接することなく簡単容易に取付ける。【解決手段】濾板１の上方で濾布10を２つ折りに垂れ下げる横棒11を弾圧的に上下動自在に支持する濾布吊りアーム９に少なくとも下方が開口した筒状部13を設け、該筒状部13に濾板１の左右上端の夫々に縦長な切込み７によって形成された隅柱８を着脱自在に挿嵌する。【選択図】図３
2006081959.tif 000002
【特許請求の範囲】
【請求項１】
濾板の上方で濾布を垂れ下げる横棒を支持する濾布吊りアームに少なくとも下方が開口
した筒状部を設け、該筒状部に濾板の左右上端の夫々に縦長な切込みによって形成された
隅柱を着脱自在に挿嵌することを特徴とするフィルタープレスにおける濾板への濾布吊り
アームの取付け構造。
【発明の詳細な説明】
【技術分野】
【０００１】
本発明は、フィルタープレスにおける濾板の上方から濾布を吊り下げ支持する濾布吊り
アームの濾板への取付け構造に関する。
【背景技術】
【０００２】
従来、フィルタープレスに用いられる濾板には、その表裏面に濾布を被着する様にした
濾布吊り装置が装備されている。
この濾布吊り装置は、濾板の左右側面の上方に外方突設した濾布吊りアームにおいて、
バネ材を内装して弾性的に上下動自在と成した支柱を立設し、該支柱間に横棒を架設して
成り、該横棒に濾布を２つ折りに垂れ下げ、該濾布が濾板の表裏面を覆う様に成している
（例えば、特許文献１）。
【特許文献１】実開昭５７−２１０７号公報
【発明の開示】
【発明が解決しようとする課題】
【０００３】
上記濾布吊りアームは、溶接によって濾板に一体形成されているが、濾板は大型で大重
量であるため、濾布吊りアームの濾板に対する左右の位置決めや溶接作業は甚だ面倒であ
り、手間、時間を要していた。
【課題を解決するための手段】
【０００４】
本発明は、濾板の上方から濾布を垂れ下げる横棒を支持する濾布吊りアームに少なくと
も下方が開口した筒状部を設け、該筒状部に濾板の左右上端の夫々に縦長な切込みによっ
て形成された隅柱を着脱自在に挿嵌することにより、濾布吊りアームを溶接することなく
濾板に簡単容易に取付けできる様にして、上記課題を解決する。
【発明の効果】
【０００５】
要するに本発明は、濾板にはその左右上端の夫々に単に縦長な切込みを設け、濾布吊り
アームには前記切り込みによって形成される隅柱の挿嵌可能な筒状部を設け、該筒状部に
隅柱を挿嵌するだけで、濾板に濾布吊りアームを極めて簡単に取付けできる。
従って、本発明によれば、従来要していた手間を省け、その作業効率を飛躍的に低減で
き、濾板を安価に提供できる。
又、濾布吊りアームは濾板に対し着脱できるので、濾板の破損や老朽化等に際しても、
濾布吊りアームを含む濾布吊り装置一式を除いてその濾板自体のみを交換するだけで良く
、その交換時に必要な費用をも軽減できる等その実用的効果甚だ大である。
【発明を実施するための最良の形態】
【０００６】
以下本発明の実施の形態としての実施例を図面に基づいて説明する。
図に示す濾板１は、フィルタープレスの長手方向で濾枠（図示せず）を介在する様に多
数並列配置されるものにして、その表裏面を面一の平面状と成した略正方形状に形成され
、左右側面上方にはフィルタープレスの左右に平行配置したレール２上に走行自在に載置
される支持アーム３を外方突設している。
濾板１の中央には原液通過孔４を貫設すると共に、下方適所に複数の濾過排水路５を設
け、表裏面の夫々には原液通過孔４に対応した透孔を中央に有する円形状の通水網板６を
固着している。
又、濾板１の左右上端の夫々には、その左右側辺に平行で縦長な切込み７を設けること
により隅柱８を形成し、該隅柱８に濾布吊りアーム９を取付けている。
【０００７】
濾布吊りアーム９は、濾板１の上方から濾布10を２つ折りに垂れ下げる横棒11を弾圧的
に上下動自在に支持する腕部12と、該腕部12の基端に連続して少なくとも下方が開口（図
示例では上下が開口）した筒状部13を設けている。
筒状部13は、隅柱８の横断面形状に対応した断面方形状の中空部14を有する四角筒状に
形成され、隅柱８を着脱自在に挿嵌することにより、濾布吊りアーム９を濾板１の上方隅
角部に取付けでき、その腕部12を濾板１の外側方へ突出させている。
尚、切込み７の間隙及び長さは、筒状部13の肉厚及び高さに対応する様に形成している
。
腕部12には、所定長さを有するガイド棒15を立設し、該ガイド棒15には、コイル状のバ
ネ材16を外嵌すると共に、該バネ材16の上端にはガイド棒15を摺動自在に挿通した略円板
状のバネ押さえ17を載置し、該バネ押さえ17上で横棒11の端部をガイド棒15に摺動自在に
挿通している。
【０００８】
この様に、濾板１の左右側面上部に外方突設した濾布吊りアーム９より立設して成るガ
イド棒15間に横棒11をバネ材16で以て弾圧的に上下動自在に架設支持することにより濾布
吊り装置18を構成している。
そして、濾布吊り装置18の横棒11に濾布10を２つ折りに垂れ下げることにより、濾布10
が濾板１の表裏面を覆う様に成している。
又、濾布10において、原液通過孔４との対応部位にはこれと略同径の透孔を設け、該透
孔周囲は原液通過孔４周囲に装着したリング状の口金19にて濾板１に止着されている。
尚、ガイド棒15間に架設された状態の横棒11において、ガイド棒15の挿通部位より内側
には、濾布10の折り返し部に設けた鳩目（図示せず）に挿通して濾布10を位置決めするピ
ン20を上方突設している。
又、本実施例にあっては、複式のフィルタープレスに用いる濾板１への濾布吊りアーム
の取付け構造を示したが、本発明にあっては、濾枠を用いない単式のフィルタープレスの
濾板にも適用可能である。
【図面の簡単な説明】
【０００９】
【図１】濾板の正面図である。
【図２】濾布吊りアームと隅柱の斜視図である。
【図３】濾布吊り装置の要部拡大図である。
【図４】図３の縦断面図である。
【符号の説明】
【００１０】
１  濾板
７  切込み
８  隅柱
９  濾布吊りアーム
10  濾布
11  横棒
13  筒状部
【図１】
2006081959.tif 000003
【図２】
2006081959.tif 000004
【図３】
2006081959.tif 000005
【図４】
2006081959.tif 000006
(57)【要約】  【課題】ソフトブーツを使用するフリースタイルのスノーボードのバインディングにおいて、前側のエッジに力を掛ける動作が後ろ側エッジに対してよりも劣る、という問題があった。後ろ側のエッジに荷重を掛ける動作はスポイラー（ハイバック）に寄りかかるだけで良く非常に楽であった為、逆に前側に荷重を掛ける動作が苦手になる傾向があった。  【解決手段】ヒールカップの両端に後方への飛出部１を設け、前記飛出部１にアンクルストラップＳの取り付け部２を設け、アンクルストラップを取り付けた事を特徴とするブーツホルダベースを有したスノーボード、フリースタイル用バインディング。  【選択図】図１
2006081919.tif 000002
【特許請求の範囲】
【請求項１】
両端に後方への飛出部１を有し、前記飛出部１にアンクルストラップＳの取り付け部２を設けたヒールカップＨを有する事を特徴とするブーツホルダベース。
【請求項２】
前記ヒールカップＨおよびスポイラーＳはプラスチックまたはＦＲＰから成って一体に構成されている事を特徴とする請求項１記載のブーツホルダベース。
【発明の詳細な説明】
【技術分野】
【０００１】
本発明はソフトタイプのブーツを使用するフリースタイルのスノーボードに用いられるバインディングの構成要素に関するものである。
【背景技術】
【０００２】
スノーボードは、使用するブーツの硬さによって大きく２種類に分けることができる。スキーから変化したハードタイプのブーツを用いるアルペンスタイルと、サーフィン、スケートボードから変化したソフトタイプのブーツを用いるフリースタイルである。アルペンスタイルに用いられるブーツは、スキー靴とほとんど同じ構造、硬さである。フリースタイルに用いられるブーツは、防寒を主とした感じの柔らかいブーツである。フリースタイルの場合、ストラップ、ハイバックとも呼ばれるスポイラー、ヒールカップのパーツをブーツホルダベースに取り付けたバインディングを用いてブーツを固定する。
アルペンスタイルの場合はブーツの靴底部を金具で直接固定して用いられる。
【発明の開示】
【発明が解決しようとする課題】
【０００３】
解決しようとする問題点は、スノーボードの前方向のエッジに荷重を懸ける場合、爪先立ちする要領で体重を移動するほか、アンクルストラップと呼ばれるベルトに力を加え結果として前側エッジに力を伝達するが、このときアンクルストラップの固定点は爪先側の前側エッジから出来るだけ離れた点に設けられた方が梃子の作用の効果が大きく出来る。しかしアンクルストラップの固定点はヒールカップの側面に設けられ、ヒールカップ自体はブーツの踵周りに隣接されていたために限界があった。
【課題を解決するための手段】
【０００４】
上記の問題を解決するための手段は、ヒールカップＨの両端に後方への飛出部１を有し、前記飛出部１にアンクルストラップＳの取り付け部２を設けた事を特徴とする。
【発明の効果】
【０００５】
本発明により、前側のエッジにアンクルストラップを介して加重を伝える動作がより効率的になり、そのためスノーボードの操作性がより向上した。
【０００６】
スノーボードに関した従来技術としては、ＥＰＯ０９６６９９４，ＥＰＯ０９５９７０２，ＵＳＰ５９７１４２２や、ステップイン方式のものとして、ＵＳＰ５３５４０８８、ＵＳＰ５０３５４４３、などの各公報に示すものがある。
【特許文献１】特開平８−３０８９７７
【発明を実施するための最良の形態】
【０００７】
本発明に係るバインディングは、ヒールカップＨでスノーボードブーツの踵部を保持し、スポイラーＳでスノーボードブーツの後部を保持し、フロントストラップ７でスノーボードブーツの甲部を保持し、アンクルストラップ８でスノーボードブーツの足首部を保持し、ブーツホルダベース６をスノーボードＳに円盤を介して直接的に、固定したり、またはステップイン用の受け具を介して間接的にスノーボードに固定することにより、スノーボードブーツをスノーボードに固定して用いられる。
【実施例１】
【０００８】
ヒールカップＨは１つの部品として独立して構成される場合や、ブーツホルダベースに一体に構成される場合もある。材質が金属の場合は前者の構成が、プラスチックの場合は後者の構成が多く見受けられる。
いずれの場合も、ヒールカップＨの要素部分は明確であり、そのヒールカップの両端に後方への飛出部１を有し、前記飛出部１にアンクルストラップＳの取り付け部２を設けた事を特徴とするブーツホルダベースが中心となるバインディングである。
飛出部１に設けられたアンクルストラップ８の取り付け部はネジ穴だけあっても、またはアンクルストラップに特別に設けられた取り付け部に応じた形状、構成であっても良い。一例としては、飛出部に鉤を設けておき、アンクルストラップに鉤の受け具を設けた構成が挙げられる。
【実施例２】
【０００９】
請求項２の発明に係るブーツホルダは、スポイラーをハイバックと一体に構成した事を特徴としている。ヒールカップＨおよびスポイラーＳはプラスチックまたはＦＲＰから成って一体に構成され、角度を調節する為の補助機構が取り付け部分に加えられる。
この場合、ハイバックＨがブーツホルダベース６と分割されている場合に特に有効である。前述の本発明に係るスノーボードブーツ用ホルダと同一の作用、効果を有する。
【産業上の利用可能性】
【００１０】
本発明により、前側エッジに力を伝える場合、アンクルストラップ、ヒールカップ、ブーツホルダーベース、前側エッジの順で伝達する効率がよくなり、結果としてスノーボードの操作性が向上した。この発明効果は大きいものである。
【図面の簡単な説明】
【００１１】
【図１】請求項１の説明図である。
【図２】請求項２の説明図である。
【図３】ブーツホルダを有するバインディングの説明図である。
【符号の説明】
【００１２】
１    飛出部
２    アンクルストラップ取り付け穴
３    スポイラー取り付け穴
４    ヒールカップ取り付け穴
５    トウストラップ取り付け穴
６    ブーツホルダベース
７    トウストラップ
８    アンクルストラップ
Ｈ    ヒールカップ
Ｂ    スポイラーと一体に成ったヒールカップ
Ｓ    スノーボード
【図１】
2006081919.tif 000003
【図２】
2006081919.tif 000004
【図３】
2006081919.tif 000005
(57)【要約】【課題】  従来の靴べらの形状は硬く平たい形状をしており、携帯するにはかさばる為、コンパクトに収納でき、携帯し易い靴べらを提供する。【解決手段】靴べら部１に変形する素材を使うことにとり、スライドレバー３をスライドスペース４内で動かし、本体２の中に納めることができる。これによって、通常使用しない時には、コンパクトな状態で持ち運ぶことができる。【選択図】  図１
2006081706.tif 000002
【特許請求の範囲】
【請求項１】
形状が変形することにより、コンパクトに収納することを特徴とする靴べら。
【請求項２】
変形した靴べらをワンタッチで出し入れができるようにしたことを特徴とする請求項１記載の靴べら。
【発明の詳細な説明】
【技術分野】
【０００１】
この発明は、携帯用靴べらに関する。
【背景技術】
【０００２】
従来の靴べらは図２に示すように硬い材質でできており、平たい形状をしているものである。
【発明の開示】
【発明が解決しようとする課題】
【０００３】
しかしながら、以上の技術によれば、持ち運ぶ時にかさばっていた。
そこで、この発明は、携帯する時にコンパクトに収納できる靴べらを提供することを課題とする。
【課題を解決するための手段】
【０００４】
以上の課題を解決するために、形状が変形することによりコンパクトに収納するでき、変形した靴べらをワンタッチで出し入れできることを特徴とする靴べらである。
【発明の効果】
【０００５】
靴べらが変形し、本体に納まるようにしたので、携帯する時にかさばらない。
【発明を実施するための最良の形態】
【０００６】
この発明の一実施形態を、図１に示す。
靴べら部１は形状が変形する素材であり、靴べら部１とレバー３は本体２の内部で接合してある。
【０００７】
この実施形態によれば、靴べら部１が変形することにより、スライドスペース４内でレバー３をスライドさせると靴べら部１は本体２に収納される。
【０００８】
図１の実施形態では、携帯用であったが、それに限らず、つえやかさの先に設けることもできる。
【図面の簡単な説明】
【０００９】
【図１】この発明の一実施形態を示す図である。
【図２】従来技術を示す図である。
【符号の説明】
【００１０】
１  靴べら部
２  本体
３  スライドレバー
４  スライドスペース
【図１】
2006081706.tif 000003
【図２】
2006081706.tif 000004
(57)【要約】【課題】  従来の寺院が用いる墓地の墓石は図２に示すように、大型である、しかしながら現代では少子化や未婚など不幸にも、身寄りの無い方が増えているようであり、せっかく高額な墓地を購入しても墓を守る人が居ないのではと嘆いている方が多い、また新規墓地の新設も制限され難しく、さらに墓石は大型なので地震対策や線香火災等及び、ごみ問題・墓地が手狭など、大変困り果てている寺院も多い、【解決手段】以上の課題を解決するために、第一発明は、墓石を小さくしその中に遺骨の一部である、のど仏のみを舎利器に入れ墓石内部に収めるため、地下納骨室は不要で、また墓石内部に位牌も収納でき高さは３０センチからで一人用と複数人用とがあり寸法は要望により多種多様で設置が簡単で土地面積が少なく、地下室がなく石も小さいので低額で石製基壇に深く差し込む形式なので地震に強いことを特徴とする墓石である。【選択図】図１
2006200330.tif 000002
【特許請求の範囲】
【請求項１】
従来のお墓の墓石は一般的に大型であり、残された遺族が代々その墓地を守ることを古来より基本前提としているが、この発明は不幸にも身寄りが無い方の為に一代限で、一人ないし複数の方の、のど仏のみを葬ることが出来、さらに防水である為に位牌も収納出来る、墓石の高さは３０センチからで、そのほかに各人の希望に合わせ幅や高さなどは多種多様で石の種類も選べ、古来の墓石と比べるとかなり小さく、地下室も無く土地の使用面積も少ないため低額であることを特徴とする墓石。
【請求項２】
前記墓石は、既存の墓地や、墓地新設許可済み墓地の中に石製の複数階段式ミニ霊園を設け均一な間隔でミニ墓石を並べ差込固定し、使用する土地の面積は各寺院墓地や霊園の都合で決められ、芝や植木等を植えさらに正面中央に１箇所共同の花たて・線香台及び共同塔婆たてを設け少ない土地の面積で済み、線香火災やごみ問題・土地問題等が一括管理できるので解消され、さらに低額であり石製基壇に深く差し込み形式なので地震に強いことを特徴とするミニ霊園。
【発明の詳細な説明】
【技術分野】
【０００１】この発明は、墓石とミニ霊園の形状に関する。
【背景技術】
【０００２】  従来の寺院が用いる墓地、墓石の形状は、図２に示すように、大型である。
【発明の開示】
【発明が解決しようとする課題】
【０００３】  しかしながら、以上の技術によれば、墓地墓石は大型で代々子孫が守り受け継がれていく事が基本前提になっているが、現代では少子化や未婚など不幸にも、身寄りの無い方が増えているようであり、せっかく高額な墓地を購入しても守る人がいないのではと嘆いているようである、また新規墓地の新設も制限され難しく、さらに線香火災等やごみ問題などや墓地が手狭で困り果てている寺院も多い、そこでこの発明は、一代限りの小さくて場所を広く取らず低額な墓地・墓石を提供することを課題とする。
【課題を解決するための手段】
【０００４】  以上の課題を解決するために、第一発明は、墓石を小さくしその中に遺骨の−部である、のど仏のみを舎利器に入れ墓石内部に収めるため、地下に納骨室は不要であり、その他のど仏以外の遺骨は、共同納骨塔内部に散骨をし、さらに墓石内部に位牌も収納でき、また墓石と土台石のみでその他省略し、高さは一人用が３０センチからであり又複数人で使用する場合などは要望により寸法は多種多様でどちらも設置が簡単で土地面積が少なく、地下室が不要なために低額であり石が小さく石製基壇に深く差し込み固定型であるため地震に強いことを特徴とする墓石である。
また、第二発明は、外部に階段式で複数段の石製基壇を設け均一な間隔でミニ墓石を並べ深く差し込み固定し、土地の面積は各寺院墓地や霊園の都合で決められ、芝・植木等を植えたミニ霊園とし正面中央に１箇所だけ共同の花たて・線香台及び共同塔婆たてを設けてあり線香やごみなども一括管理ができ、土地も有効活用でき少ない土地面積で墓石を新設出来、低額であり地震に強いことを特徴とするミニ霊園である。
【発明の効果】
【０００５】  第一発明、または第二発明によれば、墓石や霊園を小さくすることにより、土地の使用面積も大幅に縮小し地下室も不要で、石も安く済み値段は大幅に低額になる。
【発明を実施するための最良の形態】
【０００６】  この発明の一実施形態を図１に示す。
ミニ墓石・土台本体１は数種類石製であり、この本体１の墓石本体内部に舎利器と位牌が収納出来るようになっており、墓石と土台の接地面は深く差し込み形式である。【０００７】「実施形態の効果」
この実施形態によれば、一般的な墓地や霊園内にミニ墓石を立てミニ霊園を作り正面中央に共同線香台や花たてを一箇所設置のため、線香火災等やごみ問題・土地問題・地震問題が解消され、また金額もかなり低額である。【０００８】「他の実施形態」
図１の実施形態では、図３に示すように、墓石の型を板型や丸型にしてみたが図１の実施形態と同じである。
【図面の簡単な説明】
【０００９】
【図１】この発明の一実施形態を示す斜視図である。
【図２】従来技術を示す斜視図である。
【図３】他の実施形態を示す斜視図である。
【図４】霊園
【符号の説明】
【００１０】      １  墓石・土台本体
２  墓石内部
３  位牌
４  舎利器
５  地下室
６  共同線香台・花たて・塔婆たて
７  基壇
８  差込部分
【図１】
2006200330.tif 000003
【図２】
2006200330.tif 000004
【図３】
2006200330.tif 000005
【図４】
2006200330.tif 000006
(57)【要約】【課題】従来は、浄化槽のマンホールに最優先に求められることは、安全性の確保だった。そのため、気密性が犠牲となり、浄化槽内で発生する臭気、害虫がマンホールの外にでてくることに対応できなかった。【解決手段】  浄化槽本体（１）にマンホール（２）の中にさらに気密性の高い中フタ（３）を取り付けたことを特徴とする。【選択図】  図２
2006200344.tif 000002
【特許請求の範囲】
【請求項１】
浄化槽のマンホールのフタの他にさらに気密性の高い内フタを設け二重フタにしたこと
【発明の詳細な説明】
【技術分野】
【０００１】この発明は、浄化槽内の臭いと害虫をマンホールの外に出るのを遮断したものである。
【背景技術】
【０００２】従来の浄化槽は、浄化槽から発生する臭気と害虫に使用者が大変困っていた。
【発明の開示】
【発明が解決しようとする課題】
【０００３】この考案は浄化槽内で悪臭や大量の害虫が発生した場合、少しの隙間でもあると悪臭と害虫が外に出てきてしまうため、その問題を解決するためにマンホールに安全性と気密性、両方を兼ねそなえることを目的として発明をした。
【課題を解決するため手段】
【０００４】この発明である浄化槽の二重フタの考案ポイントは安全性のマンホールと気密性の中フタの役割を分けたこと。
１枚のマンホールで安全性と気密性を両立させる事は、不可能なため、従来の浄化槽のマンホールは安全性を最優先に製品を作ってきたため気密性が犠牲になり、その結果浄化槽の中で発生する害虫や臭気が外にもれ、根本的な解決方法が見つからなかった。
そこで、マンホールの役割を安全性。気密性の中フタに役割分担することで問題の解決を図った。
【発明の効果】
【０００５】浄化槽内に、どんなに害虫が発生しようと、物凄い臭気が発生してもマンホールの外に害虫も臭気も一切でてこない。
これは、浄化槽使用者にとって画期的な朗報です。
【発明を実施するための最良の形態】
【０００６】以下、本発明の実施例について説明する。
浄化槽本体（１）の上部に強度のあるマンホール（２）を設ける。
浄化槽本体の中部に本体との気密性を持たした中フタ（３）を設ける。
本発明は、以上のような構造でこれを使用するときは、中フタさえしっかり取り付けてあれば、気密性が保て、浄化槽を使用したさいに、発生する臭気、害虫がマンホールの外に出てくることはない。
【図面の簡単な説明】
【０００７】
【図１】従来の断面図である。
【図２】本発明の断面図である。
【符号の説明】
【０００８】  １  浄化槽本体
２  マンホール
３  中フタ
【図１】
2006200344.tif 000003
【図２】
2006200344.tif 000004
(57)【要約】【課題】従来のケラバ包み水切り金物ときわ谷水切り金物は下葺材に雨水が流れて入る、雨漏れと下葺材の劣化の問題がある。【解決手段】下葺材に雨水が流れこまないために、ケラバ包み水切り金物ときわ谷水切り金物に雨水流出防止さくを設ける。【選択図】図６
2006200349.tif 000002
【特許請求の範囲】
【請求項１】
ケラバ包み水切り金物に雨水流出防止さくを設ける。
【請求項２】
壁きわ谷水切り金物に雨水流出防止さくを設ける。
【発明の詳細な説明】
【技術分野】
【０００１】切り妻屋根、下屋根構造の水切り用ケラバ包みときわ谷金物に雨水防止を図った鋼板成型金物に関する。
【背景技術】
【０００２】従来の切り妻屋根と下屋根構造のケラバ包み水切り金物壁きわ谷水切り金物がある。【０００３】以下、図１、図２、図３、図４、図５、により従来のケラバ包み水切り金物ときわ谷水切り金物について説明する  図１はケラバ包み金物を施した姿図である。図２はきわ谷金物を施した姿図てある。図３は、屋根の下葺材、野路板、アスファルトルーフィングを施した姿図である。
図１と図４の図において、ケラバ包み水切り金物には雨水流出防止対策がない。
図２と図５の図において、きわ谷水切り金物には雨水流出防止対策がない。
【発明の開示】
【発明が解決しようとする課題】
【０００４】以上に述べた従来のケラバ包み水切り金物ときわ谷水切り金物では、埃やごみを含んだ雨水がケラバ包み金物やきわ谷金物から図３、下葺材、アスファルトルーフィング（防水紙）上に流れ雨漏の原因となり、下葺材の上に埃やゴミが溜る。
図１と図２の図においてケラバ包金物ときわ谷金物上に雨水が流れるところに直接釘を打ち込んでいる。その後でシールを施している。シールを忘れたり、全くシールを施さない人もいる。屋根上の寒暖のきびしい条件下ではシールを施しても耐候年数には限度がある、雨漏れの直接原因となる。【０００５】本発明は、このような従来の構成が有していた問題を解決しようとするものであり、雨水が効果的に流れ、下葺材上に流れこんでくるのを防止し、下葺材の老朽化を防ぎ、ひいては雨漏防止の実現を目的とする。
【課題を解決するための手段】
【０００６】本発明は上記目的を達成するために図６の図において説明する、図のように雨水流出防止さくを設ける。水切り金物を固定する釘の位置を雨水が直接流れるところをさけ、雨水流水防止さくの後で図のように釘で固定する。
図７の図において説明する。図のように雨水流出防止さくを設ける。釘を打ち込む位置を図のようにする。【０００７】上記の課題解決手段による作用は次の通りである。
多量の雨水が流れる時に雨水が流出防止さくで下葺材に流れるのを防ぐ。
【発明の効果】
【０００８】  上述した本発明のケラバ包み水切り金ときわ谷水切り金物は大雨のとき、下葺材に流れこむのを防ぎ、雨漏れ対策には優れている水切り金物を提供できる。【０００９】また雨水と同時に雨水に混じった埃やごみが下葺材の上に入ってくるのを防ぎ健康衛生上に良い。【００１０】下葺材に埃やごみ雨水が入らないのでアスファルトルーフィン（防水紙）の劣化を防ぐことができる。防水紙の寿命を延ばすことができる。【００１１】下葺材に雨水が入らないので野路板の劣化を防ぎ寿命を延ばすことができる。【００１２】下葺材に雨水が入らないのでアスファルトルーフィングを固定している鉄製のホチキス釘が錆びて劣化するのを防ぐことができる。
【発明の実施するための最良の形態】
【００１３】以下本発明の実施の形態を図１〜図７の図に基づいて説明する。
【００１４】図１においては、ケラバ包み水切り金物が図４、のケラバ水切り金物が施してある、雨水流出防止さくがないので、本発明の図６の雨水流出防止さくがついている水切り金物に差し替える。
【００１５】図１においては、ケラバ包み水切り金物が図４、のケラバ水切り金物が施してある、金物を固定する位置が図のように雨水が直接流れるところに釘を打ちこんでいる、本発明の図６の雨水流出防止さくがついている水切り金物に差し替えて、釘の固定する位置を変える。
【００１６】図２においては、きわ谷水切り金物が、図５のきわ谷金物が施してある、雨水流出防止さくがないので、本発明の図７の雨水流出防止さくがついている、水切り金物に差し替える。
【００１７】図２においては、きわ谷水切り金物が図５のきわ谷金物が施してある、水切り金物を固定する位置が図のように雨水が直接流れるところに釘を打ちこんでいる、本発明の図６の雨水流出防止さくがついている水切り金物に差し替えて釘の固定する位置を変える。
【００１８】以上のように、本実施形態によれば、下葺材に雨水が流れで入らず、雨漏れ対策と屋根の老朽化を防止できる。
【図面の簡単な説明】
【００１９】
【図１】従来の実施形態を示した姿図。
【図２】従来の実施形態を示した姿図。
【図３】下葺材の実施形態を示した断面図。
【図４】従来のケラバ水切り金物断面図。
【図５】従来のきわ谷水切り金物断面図。
【図６】本発明の流出防止さくがついた金物断面図。
【図７】本発明の流出防止さくがついた金物断面図。
【符号の説明】
【００２０】１  ケラバ包み水切り金物本体
２  雨水流出防止さく
３  釘
ａ  きわ谷水切り金物本体
ｂ  雨水流出防止さく
ｃ  釘
【図１】
2006200349.tif 000003
【図２】
2006200349.tif 000004
【図３】
2006200349.tif 000005
【図４】
2006200349.tif 000006
【図５】
2006200349.tif 000007
【図６】
2006200349.tif 000008
【図７】
2006200349.tif 000009
(57)【要約】      （修正有）【課題】車止めブロックを床面に固定する作業に於いて、透孔にモルタルを注入する作業が煩雑で、忌避される現状に鑑み、該作業を行うことなく完結する構成を提供する。【解決手段】  略直方体状をなす車止めブロック７の長手方向両端付近にそれぞれ一個ずつの透孔８を構成し、透孔８を上に拡がる漏斗状として形成し、これに先端を尖鋭とし、又は平坦として頭部にストッパーとなる膨大部３を有し、膨大部３の上に打ち込み作業時に使用する補助具４のパイプをガイドする突部を有するアンカーピン１を挿通すべくなし、アンカーピン１の膨大部の下面に接して外径を透孔８の変化する孔径の或る部位で大となる寸法とするゴム等からなる比較的肉厚大なるドーナツ状ブロック６を挿通する。【選択図】図１
2006200336.tif 000002
【特許請求の範囲】
【請求項１】
略直方体状をなす車止めブロックの長手方向両端付近にそれぞれ一個ずつの透孔を構成し、該透孔を上に拡がる漏斗状として形成し、これに先端を尖鋭とし、頭部にストッパーとなる膨大部を有し、且、該膨大部の上に打ち込み作業時に使用する補助具のパイプをガイドする突部を有するアンカーピンを挿通すべくなし、且、該アンカーピンの膨大部の下面に接して外径を前記透孔の変化する孔径の或る部位で大となる寸法とするゴム等からなる比較的肉厚大なるドーナツ状ブロックを挿通してなる構成とすることを特徴とする車止めブロック。
【請求項２】
先端を平坦とし、頭部にストッパーとなる膨大部を有し、且、該膨大部の上に打ち込み作業時に使用する補助具のパイプをガイドする突部を有するアンカーピンを挿通すべくなし、且、該アンカーピンの膨大部の下面に接して外径を前記透孔の変化する孔径の或る部位で大となる寸法とするゴム等からなる比較的肉厚大なるドーナツ状ブロックを挿通してなる構成とすることを特徴とする請求項１の車止めブロック。
【発明の詳細な説明】
【技術分野】
【０００１】  本発明は、駐車場の床面に設置される車止めブロックの固定構造に係わる。
【背景技術】
【０００２】  従来、略直方体状をなす車止めブロックの長手方向両端付近にそれぞれ一個ずつの透孔を構成し、該透孔に合わせて頭にねじを有するアンカーピンを床板に植設し、これに抜け止めとなるナットを螺合、又は、長ボルトからなるアンカーピンを床板に打設し、この状態で該透孔の空隙部にモルタルを注入して床板に固定する構成がある。
【発明の開示】
【発明が解決しようとする課題】
【０００３】  本発明の目的とするところは、従来技術での透孔にモルタルを注入する作業が煩雑であり、作業部位での汚損、硬化時間の長大により忌避される現状に鑑み、該作業を行うことなく完結する構成を提供することを解決すべき技術的課題とする。
【課題を解決するための手段】
【０００４】  上記課題を解決するための技術的手段は、略直方体状をなす車止めブロックの長手方向両端付近にそれぞれ一個ずつの透孔を構成し、該透孔を上に拡がる漏斗状として形成し、これに先端を尖鋭とし、又は平坦として頭部にストッパーとなる膨大部を有し、且、該膨大部の上に打ち込み作業時に使用する補助具のパイプをガイドする突部を有するアンカーピンを挿通すべくなし、且、該アンカーピンの膨大部の下面に接して外径を前記透孔の変化する孔径の或る部位で大となる寸法とするゴム等からなる比較的肉厚大なるドーナツ状ブロックを挿通してなる構成とするものである。
【発明の効果】
【０００５】  以上の如き構成とするため、対象とする車止めブロックを設定位置床上に載置し、その有する透孔の略中心を狙ってアンカーピン先端の尖鋭部を床面に当て、該アンカーピンの頭部に構成した突部に補助具のパイプを挿通し、これの上から打撃を加えることにより当該アンカーピンは床面に突き刺さり、該アンカーピンの膨大部の下面に接して挿通されたドーナツ状ブロックの外径が漏斗状をなす透孔の孔径を越えた或る位置で作業を止めると接触部はお互いに加圧されて固定作業が完了するものであり、先端平坦状アンカーピンの場合は予め当該部位に若干のボーリングを行って打ち込むものであり、後は透孔上部に化粧蓋等を嵌めれば全ての作業作業を完結し、厄介な透孔にモルタルを注入する作業が不要となり、がたつきを生じることなく、誠に作業性がよく、有用性高いものである。
【実施例】
【０００６】  本発明の実施例を図面に基ずいて説明する。図１に於て、１は先端を尖鋭部２とし、頭部に膨大部３及びその上に打設時に使用するパイプからなる補助具４をガイドする突部５を有するアンカーピン、６は該アンカーピン１の膨大部３下面に面を接して挿通されるドーナツ状ブロック、図２に於て、７は車止めブロック、８は該車止めブロック７に設けた上に拡がる漏斗状をなす透孔、９は床板部、１０は化粧キャップを示す。図３に於いてはアンカーピン１１の先端を平坦部１２としたものを示す。
【図面の簡単な説明】
【０００７】
【図１】  本発明を実施したアンカーピン、及び打設時に使用する補助具、及び車止めブロックの一部を切除した斜視図。
【図２】  図１のアンカーピンで床面に車止めブロックを打設、固定した状態を示す正面断面図。
【図３】  図１のアンカーピンの別の実施例を示す斜視図。
【符号の説明】
【０００８】１．アンカーピン                  ７．車止めブロック
２．先鋭部                        ８．透孔
３．膨大部                        ９．床板部
４．補助具                      １０．化粧キャップ
５．突部                        １１．アンカーピン
６．ドーナツ状ブロック          １２．平坦部
【図１】
2006200336.tif 000003
【図２】
2006200336.tif 000004
【図３】
2006200336.tif 000005
(57)【要約】【課題】  墓誌には戒名などが彫りこまれていたが、一杯になると新しい墓誌を必要とした。墓誌は重量が大なので追加戒名彫りには、機械、二人以上の人工を必要とした。【解決手段】  台石及び墓誌基板の正面の下側に、文字彫りこみ石板を一枚から数枚、縦、横、斜めに重ね合わせ、あるいは分割して使用できるように製作した墓誌。【選択図】  図１
2006200338.tif 000002
【特許請求の範囲】
【請求項１】
墓誌基板の正面の下側に文字彫りこみ石板を、乗せられるような形状に加工した墓誌。
【請求項２】
墓誌基板の下側の台石を、文字彫りこみ石板を、乗せられるような形状に加工した墓誌。
【請求項３】
文字彫りこみ石板の側面は、凸形に加工し、取り付け取り外しのとき、当たっても欠けないような形状に加工した請求項１、請求項２の墓誌。
【請求項４】
文字彫りこみ石板は１枚から数枚、縦、横、斜めに重ね合わせ、あるいは分割して使用できるようにした請求項１、請求項２の墓誌。
【発明の詳細な説明】
【技術分野】
【０００１】  この発明は墓石本体とは別に戒名などを彫りこむ墓誌に関するものである。
【背景技術】
【０００２】墓誌は、上部を凹形に加工した２個の台石を平行に並べ、その凹部に約３センチ〜１０センチの厚みの長方形あるいは各種形にデザインした墓誌基板をはめ込んだ墓誌。１個の台石の上部に墓誌基板を載せて接着、あるいは彫りこみ、はめ込んだ墓誌。墓石外柵の一部をくりぬき、墓誌基板をはめ込んだ墓誌。台石の上部に内部にベアリングを組みこみ回転する円柱形、八角柱形の墓誌などがある。いずれも墓誌基板、円柱形、八角柱形の石材に戒名などを彫りこむものであった。
【発明の開示】
【発明が解決しょうとする課題】
【０００３】そのため、次のような問題点があった。
（イ）墓誌基板、円柱形、八角柱形の石材の大きさの制約の中、先祖代々の戒名を彫りこまなければならず、彫りこむ戒名の数が限られた。
（ロ）狭い墓石敷地の中、先祖の歴史、故人の経歴、趣味、短歌、俳句などを彫りこむところがなかった。
（ハ）追加戒名彫には墓誌基板、円柱形、八角柱形の石材を墓地より取り外し、工場で文字彫を行うことが一般的であるが、石材の重量が大であり機械、二人以上の人工を必要とした。取り付けのときも同じである。このため時間もかかり高価になった。
本発明は、これらの問題点を解消するためになされたものである
【課題を解決するための手段】
【０００４】  台石の上部に、下側正面に文字彫りこみ石板を乗せられるような形状に加工した墓誌基板を乗せ接着する、あるいは台石を切りこみ、下側正面に文字彫りこみ石板を乗せられるような形状に加工した墓誌基板をはめ込む。台石の上部を平面にし、墓誌基板を乗せ接着する。これら墓誌基板、平面にした台石の上部に側面を凸形に加工した文字彫りこみ石板を１枚から数枚、縦、横、斜めに重ね合わせ、あるものは分割し、動かないようコーキングなどで一部を接着した。このような組み合わせの石材を墓誌とした結果、以下のような効果が生まれた。
【発明の効果】
【０００５】（イ）墓誌基板ではなく薄い文字彫りこみ石板を使用し、一枚目の石板が戒名などでいっぱいになると、前側に新しい石板を重ね合わせ、たくさんの戒名を彫ることができるようになった。
（ロ）（イ）のような理由で先祖の歴史、故人の経歴、趣味、短歌、俳句なども彫りこむことができるようになった。
（ハ）分割した文字彫りこみ石板を使用した墓誌などにおいては、法事などのとき戒名などを彫りこんだ文字彫りこみ石板と故人の経歴、趣味などを彫りこんだ文字彫りこみ石板を並列に並べて使用することもできる。
（ニ）文字彫りこみ石板は、文字を彫ることを目的とするため厚みを薄くでき、その結果重量を軽く製作できる。乗用車のトランクなどを利用し一人で取り付け取り外しができ、安価に追加彫りができるようになった。
【発明を実施するための最良の形態】
【０００６】  以下、本発明の実施の形態について説明する。
（イ）台石（１）を。図１、図２、図３、図４のような形状に製作する
（ロ）墓誌基板（２）を図１、図２、図３、図４のような形状に製作する
（ハ）台石（１）に墓誌基板（２）を載せ接着する。
（ニ）側面を凸型に加工した文字彫りこみ石板（３）、（４）、（５）、（６）を製作する。
（ホ）文字彫りこみ石板（３）に戒名などを彫りこみ、文字彫りこみ石板（４）に故人の経歴などを彫りこむ。
（ト）戒名などを彫りこんだ文字彫りこみ石板（３）、（４）、（５）、（６）を重ねあわせ墓誌基板（２）に載せ、後で取りはずしができるように一部を接着する。
本発明は以上のような構成で、追加戒名彫のときは、どちらか彫りこむスペースのある字彫りこみ石板（３）、（５）を取り外し、彫りこみ、取り付ける。戒名などが文字彫りこみ石板（３）に収まる場合、文字彫りこみ石板（４）を並列にならべ表示することもできる。文字彫りこみ石板（３）、（４）に彫りこむスペースが無くなったときは文字彫りこみ石板（５）、（６）に戒名などを彫り、前面にし、文字彫りこみ石板（３）、（４）を後ろ側とする。
【図面の簡単な説明】
【０００７】
【図１】本発明の分解斜視図
【図２】本発明の平面図
【図３】本発明の正面図
【図４】本発明の右側面図
【図５】本発明の台石に文字彫りこみ石板を取り付けた斜視図
【符号の説明】
【０００８】  １  台石
２  墓誌基板
３  文字彫りこみ石板
４  文字彫りこみ石板
５  文字彫りこみ石板
６  文字彫りこみ石板
【図１】
2006200338.tif 000003
【図２】
2006200338.tif 000004
【図３】
2006200338.tif 000005
【図４】
2006200338.tif 000006
【図５】
2006200338.tif 000007
(57)【要約】【課題】駐車場等の車両止め装置に用いる装置の形状は、コンクリート製角型ブロックが多く、車両タイヤの車両止め装置への接触時に車両に衝撃を感じることが少なくない。また衝撃力の大きさにより車両止めブロックが駐車場等の定位置からズレ、車両止め装置の役目を失している事例が多くある。【解決手段】車両止め装置の車両タイヤと接触する部分を車両タイヤの半径に対応できる曲面形状を設ける。形状は車両タイヤが装置との接触時にタイヤが装置に乗り上げるように薄くして平らな乗り上げ部（ブロック低段部）５を設ける。【選択図】図１
2006200340.tif 000002
【特許請求の範囲】
【請求項１】
コンクリート製ブロックに車両タイヤの乗り上げ部を設けたことを特徴とする車両止め装置。
【請求項２】
前記ブロックの車両タイヤの乗り上げ部は、隅部が曲面形状であることを特徴とする請求項１記載の車両止め装置。
【発明の詳細な説明】
【技術分野】
【０００１】この発明は車両等の駐車に用いる車両止め装置の形状に関する。
【背景技術】
【０００２】従来の車両等の駐車に用いる車両止め装置の形状は、図２および図３に示すように、車両タイヤの乗り上げ部はなく、車両タイヤを側面に接触させる角型の形状である。
【発明の開示】
【発明が解決しようとする課題】
【０００３】しかしながら、以上の技術によれば、車両タイヤの車両止め装置への接触時に車両に衝撃があり、小さな子供や老人等が飛ばされたり、ＯＰＥＮ容器での飲み物等が飛散したり危険を感じるときが少なくない。又衝撃力の大きさにより車両止め装置が定位置からズレ、車両止め装置の役目を失している事例が多くある。
そこで、この発明は車両止め装置からの衝撃力を減らし、又設置された定位置からのズレにくい車両止め装置を提供することを課題とする。
【課題を解決するための手段】
【０００４】以上の課題を解決するために、第一発明者はブロック装置を車両のタイヤと接触する部分を車両タイヤの半径に対応できる曲面形状にしたことを特徴とする車両止め装置である。
また第二の発明は車両タイヤがブロック装置との接触時にタイヤがブロック装置に乗り上げるように薄くして平らな乗り上げ部を設け、接触での衝撃力を取り除くことを特徴とする車両止め装置である。
【発明の効果】
【０００５】第一発明、または第二発明によればブロック装置に曲面形状を設けたことおよびタイヤが乗り上げるように薄くて平らな乗り上げ部を設けたので、車両のタイヤがブロック装置に接触時に車両側への衝撃力が軽減される。またブロック装置が定位置からズレにくく定位置に固定し易い。
【発明を実施するための最良の形態】
【０００６】この発明の一実施形態を図１に示す。
車両止め装置の本体１はコンクリート製であり、この本体１の中に鉄筋２が埋め込まれている。鉄筋には棒状のものが多数用いられている。この車両止め装置本体には上部から底部へ複数の二段式長円形の穴３が開いていて大きい長円形は途中で止まっている。小さい穴の方の長円形は底部まで貫通している。
【実施形態の効果】
【０００７】この実施形態によれば、車両タイヤがブロック上段部４に接する前に手前のブロック低段部５を踏みつけるので、タイヤは徐々にブロックの曲面部６に沿ってブロック上段部と当るので衝撃力が軽減され、ブロック低段部は車両タイヤに踏みつけられているのでブロック装置は定位置から移動しにくい。従って、車両止め装置としての機能がより高まる。
【他の実施形態】
【０００８】図１の実施形態では、車両止め鉄筋入りブロック固定用の穴は複数の二段式長円形の穴が開いていたが、他の実施形態では二段式円形の穴を上下に複数設けたものでもよい。また他の実施形態ではブロック低段部に上下に穴を設けないものでもよい。
【図面の簡単な説明】
【０００９】
【図１】この発明の一実施形態を示す斜視図である。
【図２】従来技術を示す斜視図である。
【図３】従来技術を示す斜視図である。
【符合の説明】
【００１０】
【図１】
１  ブロック装置            ２  鉄筋
３  二段式長円形の穴        ４  ブロック上段部
５  ブロック低段部          ６  曲面部
【図２】
１  ブロック装置
【図３】
１  ブロック装置
【図１】
2006200340.tif 000003
【図２】
2006200340.tif 000004
【図３】
2006200340.tif 000005